(57)【特許請求の範囲】
【請求項１】
基礎上に配置されてアンカーボルトに接続され、且つ、屋外側が開いた横断面略コ字形を成し、その略コ字形の横断面内に略垂直な補強部材が設けられた鋼製土台の該補強部材に取り付けられ、屋内側へ屈曲する凹部が形成され、且つ、前記鋼製土台及び基礎の上部の屋外側を覆う鋼製土台用カバーが着脱自在に取り付けられる鋼製土台用カバーの受け金具であって、
該受け金具は、前記補強部材に取り付けられる基部と、前記鋼製土台の長手方向と略平行に延びて屋外側へ突出する凸部が形成された垂直取付面を有し、且つ、前記鋼製土台の屋外側に位置する取付部とを備え、
該取付部の垂直取付面に形成された凸部に前記鋼製土台用カバーの凹部が係合されて該鋼製土台用カバーの高さ位置が規制されることを特徴とする鋼製土台用カバーの受け金具。
【発明の詳細な説明】
【０００１】
【産業上の利用分野】
本発明は、住宅の鋼製土台に取り付けられて、この鋼製土台の屋外側を覆う鋼製土台用カバーを着脱自在に支持する受け金具に関するものである。
【０００２】
【従来の技術】
図１７に示すように、住宅の基礎１上に固定され、不図示の大引きが接続される土台２として、近年、鋼製のものが用いられるようになっている。この鋼製土台２は強度が大きいので、例えば、地盤の不同沈下等により住宅の傾斜が生じた場合、鋼製土台２の屋外側が開いたコ字形断面内に不図示のジャッキ等を挿入し、住宅の低くなった側を基礎１上で鋼製土台２とともに持ち上げ、鋼製土台２と基礎１との間に適宜の介設材（金属板等）を介設することにより、傾斜の矯正を行うことができる利点がある。なお、図１７中の３は鋼製土台２の上方に配置される外壁パネルである。
【０００３】
ところで、従来、この鋼製土台２の屋外側は、通常、基礎１まで連続させてモルタル層４を刷毛引きして目隠しするようにしていた。その際、鋼製土台２の屋外側は開口となっているので、例えば、まず、鋼製土台２に鉄筋５を所定間隔で斜め方向に溶接し、さらに鉄筋５上に金網６を溶接した後、この金網６上にモルタル層４を刷毛引きする必要があった。
【０００４】
【発明が解決しようとする課題】
ところが、その場合、鋼製土台２に鉄筋５や金網６を溶接するのが面倒なばかりでなく、鋼製土台２と基礎１との継ぎ目の部分でモルタル層４のひび割れが発生しやすく、見栄えが悪くなる問題を有していた。さらに、住宅の傾斜の矯正に際しては、一旦、モルタル層４、鉄筋５及び金網６を全て取り除いて矯正作業を行った後、再度、モルタル層４を施工する必要があるので、作業が極めて煩雑になる。
【０００５】
また、基礎１の表面に凹凸による各種デザインを施した、所謂、デザイン基礎を用いた場合、基礎１の表面までモルタル層４を施工すると、折角のデザインが隠されて、見栄えの向上に寄与できなくなる問題があった。そのため、デザイン基礎を用いた場合、鋼製土台２の屋外側のみにモルタル層４を設けることも考えられるが、その場合も必ずしも見栄えが良好ではなく、且つ、傾斜の矯正時に一々モルタル層４等を取り除かねばならない不具合も解消されないものであった。
【０００６】
本発明は、上記の課題に鑑みてなされたものであり、住宅の傾斜の矯正を容易に行えるようにする等の目的で、鋼製土台の屋外側を着脱自在な鋼製土台用カバーで覆う場合、この鋼製土台用カバーを鋼製土台に取り付けるのに好適に用いられる鋼製土台用カバーの受け金具を提供することを目的とする。
【０００７】
【課題を解決するための手段】
上記目的を達成するために、請求項１記載の鋼製土台用カバーの受け金具は、基礎上に配置されてアンカーボルトに接続され、且つ、屋外側が開いた横断面略コ字形を成し、その略コ字形の横断面内に略垂直な補強部材が設けられた鋼製土台の該補強部材に取り付けられ、屋内側へ屈曲する凹部が形成され、且つ、前記鋼製土台及び基礎の上部の屋外側を覆う鋼製土台用カバーが着脱自在に取り付けられる鋼製土台用カバーの受け金具であって、該受け金具は、前記補強部材に取り付けられる基部と、前記鋼製土台の長手方向と略平行に延びて屋外側へ突出する凸部が形成された垂直取付面を有し、且つ、前記鋼製土台の屋外側に位置する取付部とを備え、該取付部の垂直取付面に形成された凸部に前記鋼製土台用カバーの凹部が係合されて該鋼製土台用カバーの高さ位置が規制されることを特徴としている。
【００１０】
【発明の実施の形態】
以下、本発明の実施の形態を図面に基づいて説明する。図１に示すように、住宅の屋外側に面した基礎１０上に鋼製土台１１が配置されている。この鋼製土台１１は、所定の上下間隔を隔てて平行に配置された上下一対の水平板１２、１３と、両水平板１２、１３の屋内側端部間で垂直に延びる垂直板１４とで、屋外側が開いた横断面略コ字形に構成され、水平板１２、１３と垂直板１４との対応する端部同士は溶接等により固定されている。なお、鋼製土台１１は横断面略コ字形の一体部材として構成されていてもよい。
【００１１】
図２にも示すように、鋼製土台１１の略コ字形の横断面内には、水平板１２、１３及び垂直板１４の双方と略直交するように鋼製の補強部材１５（スチフナー）が鋼製土台１１の長手方向に所定の間隔をおいて複数配置され、これら補強部材１５が水平板１２、１３及び垂直板１４に溶接等により固定されている。
【００１２】
また、鋼製土台１１の長手方向端部には、端部板としての役割を有する補強部材１５が配置され、隣接する２つの鋼製土台１１の対応する端部における補強部材１５同士が、それらの孔１５ａを貫通するボルト１６と、該ボルト１６に螺合するナット１７とで接続されている。
【００１３】
各鋼製土台１１の下側の水平板１３に設けた孔１３ａには、その下部が基礎１０に埋め込まれるとともにその上部が基礎１０から上方へ突設されたアンカーボルト１８が挿通され、水平板１３の上方でアンカーボルト１８にナット１９が螺合されることにより、鋼製土台１１が基礎１０に固定されている。
【００１４】
鋼製土台１１の垂直板１４の屋内側表面には大引き受け金具２１が配置され、垂直板１４及び大引き受け金具２１の孔（不図示）を貫通するボルト２２とナット２３とで垂直板１４に固定されている。そして、この大引き受け金具２１には大引き２４の端部が釘２５等で固定されている。
【００１５】
鋼製土台１１の上側の水平板１２上には、横枠材２６と縦枠材２７とを含む鋼製等の軸組２８が配置され、上記横枠材２６が水平板１２と該横枠材２６の各孔１２ａ、２６ａを貫通するボルト３０とナット３１とで水平板１２に固定されている。また、軸組２８の屋外側には外壁パネル３３が取り付けられている。外壁パネル３３は、外層３３ａ、中間層３３ｂ及び内層３３ｃの３層構造からなり、外層３３ａの下端位置は中間層３３ｂの下端位置より低くされている。
【００１６】
鋼製土台１１の上記補強部材１５には、以下で詳述するように、鋼製土台１１及び基礎１０の上部の各屋外側を覆う鋼製土台用カバー３４が受け金具３５を介して着脱自在に取り付けられている。すなわち、図３乃至図５に示すように、受け金具３５は、例えば、厚み２mm程度のアルミニウム板からなり、基部３６と、基部３６の先端部から、基部３６との間で上方からみて１３５°程度の角度を成すように屈曲する連結部３７と、連結部３７の先端部から上方からみて４５°程度の角度を成すように屈曲する取付部３８とで一体に構成されている。そして、基部３６と取付部３８とは上方からみて互いに略直交する向き（図４参照）とされている。
【００１７】
基部３６には上下方向に長い長孔３６ａが上下一対形成されている。また、基部３６における連結部３７との境界付近における上下端部に、各々切起し加工により基部３６と略直交する方向の上下一対の位置決め用爪部３６ｂが形成されている。さらに、取付部３８における基部３６と反対側の表面が垂直取付面３８ａとされるとともに、この垂直取付面３８ａには、切起し加工により屋外側へ略水平に突出する凸部３８ｂ（折曲部）が設けられている。
【００１８】
受け金具３５の補強部材１５への取付は、図６に示すように、受け金具３５の基部３６を補強部材１５の右側へ沿わせ、ボルト４０を長孔３６ａ及び補強部材１５の孔１５ａに挿通した上でナット４１に螺合させることにより行われる。上記位置決め用爪部３６ｂは補強部材１５の前面（屋外側端面）に当接する。
【００１９】
ここで、基部３６におけるボルト４０の挿通用の孔は、上下方向に長い長孔３６ａであるので、長孔３６ａの上下幅内で補強部材１５に対する受け金具３５の高さ位置の調整が可能である。この受け金具３５の高さ位置を調整することにより、後述のように、鋼製土台用カバー３４の高さ位置を調整できる。
【００２０】
なお、受け金具３５は鋼製土台１１の長手方向に沿って複数取り付けられるので、取付に際しては、まず、両端の受け金具３５の高さ調整を行い、中間の受け金具３５は、両端の受け金具３５間に不図示の水糸を張設することにより、高さ調整を行えばよい。
【００２１】
図７及び図８にも示す鋼製土台用カバー３４は、住宅の直線部分に取り付けるものであって、例えば、厚み１mm程度のアルミニウム板からなり、鋼製土台１１の上下幅より十分大きな上下幅を有している。そして、鋼製土台用カバー３４の上端部には屋内側へ斜め上方に屈曲する傾斜部３４ａと、この傾斜部３４ａの上端から上方へ屈曲する垂直部３４ｂとが設けられている。
【００２２】
また、鋼製土台用カバー３４の上部には、屋内側へ凹入する上下一対の凹部３４ｃ、３４ｄが形成されている。鋼製土台用カバー３４の下部は、斜め下方への傾斜部３４ｅを介して上部よりやや屋外側へ突出させられている。さらに、鋼製土台用カバー３４の下端部には、屋内側へ屈曲した後、上方へ屈曲する、上開きのコ字形の屈曲部３４ｆが設けられている。
【００２３】
鋼製土台用カバー３４の幅方向一端部における屈曲部３４ｆには、鋼製土台用カバー３４から幅方向外方へ突出する接続部材４２（ジョイナー）が溶接または図示しないリベット等により取り付けられている。この接続部材４２は、隣接する鋼製土台用カバー３４の屈曲部３４ｆに嵌合することにより、隣接する２つの鋼製土台用カバー３４同士が確実に位置決めされて接合されることとなる。
【００２４】
図１にも示すように、鋼製土台用カバー３４の凹部３４ｃ、３４ｄには、ビス孔３４ｇが形成されるとともに、受け金具３５の取付部３８には、対応するビス孔３８ｃが形成され、鋼製土台用カバー３４が受け金具３５にビス４３により着脱自在に取り付けられている。
【００２５】
その際、鋼製土台用カバー３４の上側の凹部３４ｃが受け金具３５の前記凸部３８ｂに上方から係合することにより、鋼製土台用カバー３４の高さ位置が規制される。なお、ビス孔３４ｇ、３８ｃは、予め設けておく代わりに、必要により、現場で鋼製土台用カバー３４と受け金具３５の取付部３８とを重ねた状態で形成するようにしてもよい。
【００２６】
取付状態で鋼製土台用カバー３４は鋼製土台１１及び基礎１０の上部の屋外側を覆っている。鋼製土台用カバー３４が基礎１０の上部を覆う上下幅Ｈ（図１参照）は、例えば、数１０mm乃至百数１０mm程度とすることができるが、この上下幅Ｈは、地盤の不同沈下等により住宅の傾斜が生じた際に鋼製土台１１を上昇させて矯正する場合の、予想される鋼製土台１１の最大上昇量より十分大きな値とされる。
【００２７】
なお、鋼製土台用カバー３４の上端における垂直部３４ｂは、外壁パネル３３の外層３３ａの下端位置より屋内側に位置するとともに、垂直部３４ｂの上端位置が外層３３ａの下端位置以上の高さとなるように、鋼製土台用カバー３４の高さ位置が設定される。これにより、屋外側からみて、外壁パネル３３と鋼製土台用カバー３４との間に隙間が生じず、見栄えが良好となる。
【００２８】
上述のように、鋼製土台用カバー３４は左右方向へ複数枚接合しながら取り付けてゆくものであるが（図９参照）、例えば、取付は左側の鋼製土台用カバー３４から順次行い、新たな鋼製土台用カバー３４の取付時に該鋼製土台用カバー３４の左側端部に左隣の鋼製土台用カバー３４の接続部材４２を嵌合し、隣接する鋼製土台用カバー３４同士を接続すればよい。
【００２９】
図１０は住宅の入隅部Ａ（図９参照）に使用する鋼製土台用カバー４４であって、互いに直交する２方向のカバー分割体４５、４６を溶接等により接合してなるものである。図１１にカバー分割体４５を示すように、各カバー分割体４５、４６の横断面形状は鋼製土台用カバー３４の横断面形状と略同一であるので、鋼製土台用カバー３４に用いたのと同一のサフィックス（ａ、ｂ、ｃ……）を各部に付して重複した説明を省略する。但し、下端の屈曲部４５ｆ、４６ｆについては、鋼製土台用カバー３４の屈曲部３４ｆと異なり、屋内側へ略水平に屈曲する屈曲部のみで、上方への屈曲部がなく、横断面Ｌ字形を成している。
【００３０】
図２に示すように、入隅部Ａに使用する鋼製土台４７は、第１アーム部４８と、この第１アーム部４８に直交する第２アーム部４９とで上方から見て略Ｌ字形に構成されている。各アーム部４８、４９は直線部における鋼製土台１１と同様に、各々上下一対の水平板５０、５１と垂直板５２とで、屋外側が開いた略コ字形の横断面形状となるように形成されている。
【００３１】
そして、各アーム部４８、４９の端部の横断面内に各々鋼製土台１１と同様の補強部材１５が設けられ、第１アーム部４８の補強部材１５には一方向の直線部の鋼製土台１１の対応する端部の補強部材１５が前記ボルト１６及びナット１７で接続されるとともに、第２アーム部４９の補強部材１５には、図示しない他方向の直線部の鋼製土台１１が接続されるようになっている。
【００３２】
また、第１及び第２アーム部４８、４９の補強部材１５と、鋼製土台１１の対応する端部の補強部材１５とに前記受け金具３５が重ね合わせられ、前記ボルト１６及びナット１７で受け金具３５が補強部材１５と共締めされ、入隅部Ａにおける鋼製土台用カバー４４は、これらの受け金具３５に取り付けられるようになっている。
【００３３】
この場合、図９に示すように、鋼製土台用カバー４４に接続される直線部の鋼製土台用カバー３４の幅方向端部は、鋼製土台用カバー４４の内側に重ね合わせて挿入し、鋼製土台用カバー４４とともにビス４３によって受け金具３５に結合することが好ましい。
【００３４】
図１２は住宅の出隅部Ｂ（図９参照）に使用する鋼製土台用カバー５３であって、互いに直交する２方向のカバー分割体５４、５５を溶接等により接合してなるものである。各カバー分割体５４、５５の横断面形状は、入隅部Ａの鋼製土台用カバー４４の各カバー分割体４５、４６と同一であり、図１２には図１０のカバー分割体４５に用いたのと同一のサフィックス（ａ、ｂ、ｃ……）を付している。
【００３５】
また、図示しないが、出隅部Ｂに使用する鋼製土台は、上方から見て入隅部Ａにおける鋼製土台４７と逆の屈曲形状を有し、この出隅部Ｂの鋼製土台に前記受け金具３５を介して、図９に示すように、鋼製土台用カバー５３が取り付けられる。この場合も、鋼製土台用カバー５３に隣接する直線部の鋼製土台用カバー３４の幅方向端部は、鋼製土台用カバー５３の内側に重ね合わせて挿入し、鋼製土台用カバー５３とともにビス４３で受け金具３５に結合することができる。
【００３６】
次に、地盤の不同沈下等により住宅の傾斜が生じた場合の矯正につき、簡単に説明する。住宅の傾斜が生じた場合、図１３に示すように、低くなった側の鋼製土台用カバー３４（または鋼製土台用カバー４４、５１）をビス４３を緩めて取り外し、必要により、受け金具３５をも取り外す。そして、図示しないジャッキ等を鋼製土台１１のコ字形の横断面内に挿入して上側の水平板１２の下面に当接させ、このジャッキ等により、鋼製土台１１とともに住宅の低くなった側を持ち上げる。
【００３７】
続いて、図１４に示すように、鋼製土台１１と基礎１０の上面との間に生じた隙間に金属板等からなる介設材５６を適宜枚数介設した後、上記ジャッキ等を取り外し、続いて、図１５のように、鋼製土台用カバー３４を再度ビス４３で受け金具３５に取り付ければよい。
【００３８】
このように、本実施の形態では、住宅の傾斜の矯正時に鋼製土台用カバー３４を簡単に着脱できるので、矯正に要する時間及び費用を削減できる。また、鋼製土台用カバー３４は初期状態において、基礎１０の上部を十分な上下幅Ｈで覆うようにしているので、鋼製土台１１を持ち上げた後も、通常は、鋼製土台１１と基礎１０との間に生じた隙間が鋼製土台用カバー３４で覆われ、矯正の前後とも見栄えは良好なものとなる。なお、鋼製土台１１の持ち上げ量が特別に大きい場合は、鋼製土台用カバー３４をより上下幅の大きなものと交換すればよい。
【００３９】
なお、図９から明らかなように、本実施の形態では基礎１０の表面や外壁パネル３３の外層３３ａの表面に凹凸模様を設けない場合を示したが、基礎１０の表面に凹凸模様を有するデザイン基礎や外層３３ａの表面に凹凸模様を有する外壁パネル３３を使用する場合にも本発明の鋼製土台用カバー３４を使用することができる。
【００４０】
図１６に受け金具３５の変形例を示す。この受け金具５７は、受け金具３５における傾斜した連結部３７を廃止し、基部３６の屋外側端部から略直角に屈曲するように取付部３８を一体に設けたものである。なお、受け金具５７における受け金具３５と共通する部位には同一の参照番号を付して重複した説明を省略する。また、受け金具５７の補強部材１５に対する取付方法及び受け金具５７に対する鋼製土台用カバー３４、４４、５３の取付方法も受け金具３５の場合と同様であるので、説明を省略する。なお、上記の受け金具３５、５７は補強部材１５に取り付けて用いるものであるが、それ以外に本発明の受け金具は、鋼製土台１１における水平板１２等に取り付けるようにしてもよい。
【００４１】
【発明の効果】
以上説明したように、本発明の請求項１記載の鋼製土台用カバーの受け金具は、基礎上に配置されてアンカーボルトに接続され、且つ、屋外側が開いた横断面略コ字形を成し、その略コ字形の横断面内に略垂直な補強部材が設けられた鋼製土台の該補強部材に取り付けられ、屋内側へ屈曲する凹部が形成され、且つ、前記鋼製土台及び基礎の上部の屋外側を覆う鋼製土台用カバーが着脱自在に取り付けられる鋼製土台用カバーの受け金具であって、該受け金具は、前記補強部材に取り付けられる基部と、前記鋼製土台の長手方向と略平行に延びて屋外側へ突出する凸部が形成された垂直取付面を有し、且つ、前記鋼製土台の屋外側に位置する取付部とを備え、該取付部の垂直取付面に形成された凸部に前記鋼製土台用カバーの凹部が係合されて該鋼製土台用カバーの高さ位置が規制されるものであり、本受け金具を用いて、鋼製土台の屋外側が隠されて見栄えが良好になるとともに、住宅の傾斜の矯正時には、住宅の低くなった側で鋼製土台用カバーを本受け金具から取り外すのみで容易に矯正作業を行うことができる。また、矯正作業完了後には同一の鋼製土台用カバーをビス等の取付具で本受け金具に再取付するのみでよいので、作業が容易であるとともに経済的である。
【００４２】
また、鋼製土台用カバーを本受け金具の垂直取付面に取り付けるようにしたので、カバーの支持を確実に行えるとともに、カバーの着脱作業も容易に行える利点がある。
【００４３】
また、略コ字形断面の鋼製土台の下方の水平部は基礎の上面に固定され、上方の水平部上に軸組等が取り付けられる状況であっても、補強部材は受け金具の基部の取付用に好適に使用できる。
【００４４】
さらに、鋼製土台用カバーの凹部と、本受け部材の凸部の係合により、鋼製土台用カバーの高さ位置を正確に決定できる利点がある。
【図面の簡単な説明】
【図１】本発明の実施の形態に係る鋼製土台用カバーを取り付けた鋼製土台及び基礎の周辺部を示す横断面図。
【図２】上記鋼製土台を示す斜視図。
【図３】上記鋼製土台用カバーを鋼製土台に取り付けるための受け金具を示す斜視図。
【図４】上記受け金具の平面図。
【図５】上記受け金具の側面図。
【図６】上記受け金具の周辺部を示す水平断面図。
【図７】上記鋼製土台用カバーを示す斜視図。
【図８】上記鋼製土台用カバーを示す横断面図。
【図９】上記鋼製土台用カバーの取付状態を示す斜視図。
【図１０】住宅の入隅部における鋼製土台用カバーを示す斜視図。
【図１１】上記入隅部の鋼製土台用カバーの一方のカバー分割体を示す横断面図。
【図１２】住宅の出隅部における鋼製土台用カバーを示す斜視図。
【図１３】住宅の傾斜の矯正手順を示す横断面図。
【図１４】住宅の傾斜の後続の矯正手順を示す横断面図。
【図１５】住宅の傾斜の矯正を終了した状態を示す横断面図。
【図１６】上記受け金具の変形例を示す斜視図
【図１７】従来の住宅の鋼製土台の周辺部を示す横断面図。
【符号の説明】
１０  基礎
１１、４７  鋼製土台
１５  補強部材
１８  アンカーボルト
３４、４４、５３  鋼製土台用カバー
３４ｃ  凹部
３４ｆ  屈曲部
３５  受け金具
３６  基部
３８ａ  垂直取付面
３８ｂ  凸部
【図１】
0003666722.tif 000002
【図２】
0003666722.tif 000003
【図３】
0003666722.tif 000004
【図４】
0003666722.tif 000005
【図５】
0003666722.tif 000006
【図６】
0003666722.tif 000007
【図７】
0003666722.tif 000008
【図８】
0003666722.tif 000009
【図９】
0003666722.tif 000010
【図１０】
0003666722.tif 000011
【図１１】
0003666722.tif 000012
【図１２】
0003666722.tif 000013
【図１３】
0003666722.tif 000014
【図１４】
0003666722.tif 000015
【図１５】
0003666722.tif 000016
【図１６】
0003666722.tif 000017
【図１７】
0003666722.tif 000018